(57)【要約】【課題】持ち運びに適したチューブ式揮散容器を提供することである。【解決手段】下端を閉塞端部４ａとする筒状の胴部４から口頸部８を起立するチューブ容器体２と、前記口頸部８に取り付けたシール蓋１０とを具備する。シール蓋１０は、前記口頸部８外面へ嵌合された嵌合周壁２０と連結する蓋板１４で口頸部８の上面を密閉することが可能に設けた蓋本体１２と、前記口頸部８の内側で前記蓋板１４から前記蓋本体１２と共に上方へ引き出し可能に垂設された脚筒３２とを有し、この脚筒３２のうち蓋板１４から離れた先部３２ｃを口頸部８内に残して前記シール蓋１０を引き出したときに当該引き出し状態を支えることが可能な支持手段Ｓを設け、  かつ前記蓋板１４と前記先部３２ｃとの間で前記脚筒３２に揮散孔３６を開口してなる。【選択図】図１
2018203318.tif 000002
【特許請求の範囲】
【請求項１】
下端を閉塞端部(４ａ)とする筒状の胴部(４)から口頸部(８)を起立するチューブ容器体(２)と、
前記口頸部(８)に取り付けたシール蓋(１０)とを具備し、
シール蓋(１０)は、
前記口頸部(８)外面へ嵌合された嵌合周壁(２０)と連結する蓋板(１４)で口頸部(８)の上面を密閉することが可能に設けた蓋本体(１２)と、
前記口頸部(８)の内側で前記蓋板(１４)から前記蓋本体(１２)と共に上方へ引き出し可能に垂設された脚筒(３２)とを有し、
この脚筒(３２)のうち蓋板(１４)から離れた先部(３２ｃ)を口頸部(８)内に残して前記シール蓋(１０)を引き出したときに当該引き出し状態を支えることが可能な支持手段(Ｓ)を設け、
かつ前記蓋板(１４)と前記先部(３２ｃ)との間で前記脚筒(３２)に揮散孔(３６)を開口してなることを特徴とする、チューブ式揮散容器。
【請求項２】
前記支持手段(Ｓ)は、シール蓋(１０)をチューブ容器体(２)から引き出した状態で当該チューブ容器体(２)を上下反転させ、前記蓋板(１４)を介して倒立させたときに、前記引き出し状態を維持できるようにチューブ容器体(２)を支えるように形成したことを特徴とする、請求項１に記載のチューブ式揮散容器。
【請求項３】
前記脚筒(３２)は、蓋本体(１２)と別体として形成され、口頸部(８)の内側で蓋板(１４)から垂設された垂下筒(１６)を脚筒(３２)の上端側と嵌合させることで取り付けられたことを特徴とする、請求項１又は請求項２に記載のチューブ式揮散容器。
【請求項４】
前記シール蓋(１０)がチューブ容器体(２)から引き出され、揮散孔(３６)が外部に開放された状態で前記引き出しを停止する位置決め手段(４０)を設けたことを特徴とする、請求項１から請求項３のいずれかに記載のチューブ式揮散容器。
【請求項５】
前記脚筒(３２)内に内容物含浸用の含浸体(６０)を配置したことを特徴とする、請求項１から請求項４のいずれかに記載のチューブ式揮散容器。
【請求項６】
前記脚筒(３２)の下部に含浸体(６０)の抜止め手段(Ｎ)を設けたことを特徴とする、請求項１から請求項５のいずれかに記載のチューブ式揮散容器。
【発明の詳細な説明】
【技術分野】
【０００１】
本発明は、チューブ式揮散容器、例えば芳香剤を収納するためのチューブ式揮散容器に関する。
【背景技術】
【０００２】
従来、揮散容器として、床置き用の底壁で下面を閉塞した胴部から肩部を介して口頸部を起立する容器体と、口頸部の上面を覆う内キャップと、内キャップの上に載置された含浸体と、口頸部の下部外面に下端部を嵌着させて含浸体及び内キャップを覆うとともに、揮散孔を備えた外キャップと、口頸部内に支承され、内キャップの裏面付近から容器体の底部に延びるパイプとを有したものが知られている（特許文献１）。
使用するときには、外キャップ及び内キャップを順次外して、含浸体をパイプ或いは口頸部の上に直接載せ、外キャップを再び口頸部に嵌合させればよい。
【先行技術文献】
【特許文献】
【０００３】
【特許文献１】特開２０１６−４９９８８
【発明の概要】
【発明が解決しようとする課題】
【０００４】
一般的に芳香剤容器などでは、内容物の揮散が激しいため、十分な気密性が重要である。そうした点では従来の揮散容器は十分ではなく、密閉性能の高いチューブ容器の形態がより好適である。こうした容器では、ブロー成形品が多く用いられ、積層によるバリア性を有するものも好適である。
もっともこうした容器は、気密性とバリア性とを兼ね備えるため、包材として高価になり易いという問題があり、それに見合った付加価値性が求められる。
特許文献１のものは、床置き型の形態であるので、それに見合った用途、例えば同じ場所に定置させてしようするという如き限定的されてしまうことが多い。しかしながら、今日では、同じ住居の複数の部屋を利用者が移動する場合、或いは、自宅と職場との間を移動する場合に、揮発容器を持ち歩いて必要に応じて使用したいという要望がある。
【０００５】
本発明の第１の目的は、持ち運びに適したチューブ式揮散容器を提供することである。
本発明の第２の目的は、気密性に優れたチューブ式揮散容器を提供することである。
本発明の第３の目的は、使い勝手のよいチューブ式揮散容器を提供することである。
【課題を解決するための手段】
【０００６】
第１の手段は、下端を閉塞端部４ａとする筒状の胴部４から口頸部８を起立するチューブ容器体２と、
前記口頸部８に取り付けたシール蓋１０とを具備し、
シール蓋１０は、
前記口頸部８外面へ嵌合された嵌合周壁２０と連結する蓋板１４で口頸部８の上面を密閉することが可能に設けた蓋本体１２と、
前記口頸部８の内側で前記蓋板１４から前記蓋本体１２と共に上方へ引き出し可能に垂設された脚筒３２とを有し、
この脚筒３２のうち蓋板１４から離れた先部３２ｃを口頸部８内に残して前記シール蓋１０を引き出したときに当該引き出し状態を支えることが可能な支持手段Ｓを設け、
かつ前記蓋板１４と前記先部３２ｃとの間で前記脚筒３２に揮散孔３６を開口してなる。
【０００７】
本手段は、図１に示す如く、揮散容器の容器体として、口頸部８を有するチューブ容器体２を採用するとともに、前記口頸部８に取り付けたシール蓋１０を、口頸部８の上面を密閉する蓋本体１２と、蓋本体１２の蓋板１４から垂下した脚筒３２とで形成し、この脚筒３２のうち蓋板１４から離れた先部３２ｃを口頸部８内に残してシール蓋１０を引き出したときに、脚筒３２に形成された揮散孔３６が外部に露出するように構成している。
シール蓋１０を引き出す前の状態では揮発容器の全体をコンパクトな形態であるので、例えばカバン類の内部に収納することができ、携帯に便利である。
また揮散容器の容器部の形態としてチューブ容器体を採用するとともに、口頸部にシール蓋１０を付設したから、バリア性及び気密性を兼備させることができ、内容物の品質を良好に維持できる。
【０００８】
「蓋本体」は、シール蓋のうちでシール性能を実現する部位であり、その蓋板で口頸部の上面を密閉している。
なお、「蓋板で口頸部の上面を密閉する」こととは、蓋板から垂下するシール筒で密閉性を担保する場合を含むものとする。
また、本明細書において「上」及び「下」という言葉は、特に断らない限り、図１に示す正立状態での向きをいうものとする。
「脚筒」は、チューブ容器体２の内部と連通し、容器体内から引き出し可能な内容物の連通路としての役割を有する部位であり、その筒長方向の適所に単数又は複数の揮散孔３６を有する。
図示例では、液状の内容物を含浸させるための含浸体６０を脚筒３２内に設けている。もっとも、例えば内容物をビーズ状・ゲル状のものとして液漏れを生じないようにした場合には、含浸体６０を省略しても構わない。
「支持手段」は、シール蓋の引き出し状態を支えることができればどのような形態でもよい。支持手段の好適な一例として、口頸部８の内面から脚筒３２の外面との間に遊びａを存して突設される嵌合凸部９と、脚筒３２の筒長方向の一部である被嵌合部３３とからなり、シール蓋１０を外方へ引き出したときに前記嵌合凸部９が被嵌合部３３に嵌着するように設けることができる。蓋板からシール筒１８を垂下するときには、そのシール筒の下側に前記嵌合凸部９を設けるとよい。
【０００９】
第２の手段は、第１の手段を有し、かつ
前記支持手段Ｓは、シール蓋１０をチューブ容器体２から引き出した状態で当該チューブ容器体２を上下反転させ、前記蓋板１４を介して倒立させたときに、前記引き出し状態を維持できるようにチューブ容器体２を支えるように形成した。
【００１０】
本手段では、図３に示す如くシール蓋１０をチューブ容器体２から引き出した状態で当該チューブ容器体２を上下反転させ、前記蓋板１４を介して倒立させたときに（図５参照）、前記引き出し状態を維持できるようにチューブ容器体２を支える支持手段Ｓを設けている。前記蓋板１４の表面を接地面としてチューブ容器体２を倒立させることにより内容物を揮散させるので、どこにでも、例えばテーブルの上の比較的僅かなスペースにも本願揮散容器を配置して使用することができるので使い勝手がよい。
“容器体を支える”とは、容器体に内容物が収納されていない状態では、少なくとも容器体の重さを支えれば足りるものとする。
【００１１】
第３の手段は、第１の手段又は第２の手段を有し、かつ
前記脚筒３２は、蓋本体１２と別体として形成され、口頸部８の内側で蓋板１４から垂設された垂下筒１６を脚筒３２の上端側と嵌合させることで取り付けられた。
【００１２】
本手段では、脚筒３２が、蓋本体１２と別体として形成され、口頸部８の内側で蓋板１４から垂設された垂下筒１６を脚筒３２の上端側と嵌合させることで取り付けられている。その理由は、シール蓋１０全体を一体成形品とすると、金型成形するときに、型抜きが困難となるおそれがあるからである。
図示例の垂下筒１６は、内外２重筒で形成しているが、その変更することができる。
【００１３】
第４の手段は、第１の手段から第３の手段のいずれかを有し、かつ前記シール蓋１０がチューブ容器体２から引き出され、揮散孔３６が外部に開放された状態で前記引き出しを停止する位置決め手段４０を設けた。
【００１４】
本手段では、図５に示すようにシール蓋１０がチューブ容器体２から引き出され、揮散孔３６が外部に開放された状態で前記引き出しを停止する位置決め手段４０を設けることを提案している。これにより予め定めた面積の揮散孔３６を開口させることができる。なお、位置決め手段は、一つに限らない。例えば図示例のように筒長方向に配列する複数の揮散孔３６、或いは筒長方向に延びる揮散孔３６を形成しておき、揮散孔３６の開口面積の全体が開放される位置、或いは開口面積のうちの一定割合（例えば半分）が開口される位置に対応する適数の位置決め手段を設けてもよい。
【００１５】
第５の手段は、第１の手段から第４の手段のいずれかを有し、かつ
前記脚筒３２内に内容物含浸用の含浸体６０を配置した。
【００１６】
本手段では、容器体内の液状の内容物を含浸させるための含浸体６０を脚筒３２内に配置することを提案している。こうした含浸体６０は、繊維や多孔材料で形成されており、空気との接触面積を増やすことにより、効率的な揮散を可能とする。好適な素材は不織布である。チューブ容器体２が倒立状態されるときには、内容物の液漏れを規制或いは抑制する機能を有する。
【００１７】
第６の手段は、第１の手段から第５の手段のいずれかを有し、かつ
前記脚筒３２の下部に含浸体６０の抜止め手段Ｎを設けた。
【００１８】
本手段では、図１又は図７に示すように脚筒３２の下部に含浸体６０の抜止め手段Ｎを設けることを提案している。これにより、含浸体６０が不意に脚筒３２から脱落することを防止できる機能を有する。
好適な一の態様として、前記前記抜止め手段Ｎとして、図７及び図８（Ｂ）に示すように、前記脚筒３２の下端部に対して、当該脚筒３２の下端面の一部を閉塞する部分蓋４６を設けてもよい。
【発明の効果】
【００１９】
第１の手段に係る発明によれば、揮散容器を使用するときに、容器体の口頸部８内から、シール蓋１０の脚筒３２を、その先部３２ｃを残して引き出すように形成するとともに、この引き出し状態を支える支持手段Ｓを設け、この引き出しにより揮散孔３６が露出するから、コンパクトな構成とすることができ、携帯に便利である。
また揮発容器の容器体としてチューブ容器体を採用したから、揮発性の高い内容物の収納・保管に適する。
第２の手段に係る発明によれば、支持手段Ｓは、シール蓋１０をチューブ容器体２から引き出した状態で当該チューブ容器体２を上下反転させ、前記蓋板１４を介して倒立させたときに、前記引き出し状態を維持できるようにチューブ容器体２を支えるように設けたから、狭いスペースに揮散容器を倒立させて使用できるので、使い勝手がよい。
第３の手段に係る発明によれば、脚筒３２は、蓋本体１２と別体として形成され、口頸部８の内側で蓋板１４から垂設された垂下筒１６を脚筒３２の上端側と嵌合させるから、脚筒３２を金型で成形し易い。
第４の手段に係る発明によれば、シール蓋１０がチューブ容器体２から引き出され、揮散孔３６が外部に開放された状態で前記引き出しを停止する位置決め手段４０を設けたから、引き出し操作により一定の面積の揮散孔を露出させ、一定量の揮発性能を担保できる。
第５の手段に係る発明によれば、脚筒３２内に含浸体６０を配置したから、揮発成分を含浸した含浸体６０と空気との接触面積を増大し、効率的に揮発することができる。
第６の手段に係る発明によれば、前記脚筒３２の下部に含浸体６０の抜止め手段Ｎを設けたから、含浸体６０が不意にチューブ容器体２内に脱落することを防止し、適切な揮発機能を維持できる。
【図面の簡単な説明】
【００２０】
【図１】本発明の第１実施形態のチューブ式揮散容器を前方から見た断面図である。
【図２】図１の揮散容器の要部拡大図である。
【図３】図１の揮散容器の主要部材を示す図であり、図３（Ａ）は当該部材を前方から見た縦断面図であり、図３（Ｂ）は当該部材を側方から見た縦断面図である。正面図である。
【図４】図３の主要部材の一部品を示す図であり、図４（Ａ）は当該部品を前方から見た縦断面図であり、図４（Ｂ）は当該部品を下方から見た縦断面図である。
【図５】図１の容器の使用状態を示す説明図である。
【図６】図５の一部の拡大図である。
【図７】本発明の第２実施形態のチューブ式揮散容器を前方から見た断面図である。
【図８】図７の揮散容器の主要部材を示す図であり、図８（Ａ）は当該部材を前方から見た縦断面図であり、図８（Ｂ）は当該部材を下方から見た縦断面図である。
【図９】図８の主要部材を部分蓋が開かれた状態で示す図であり、図９（Ａ）は当該部材を前方から見た縦断面図であり、図９（Ｂ）は当該部材を下方から見た縦断面図である。
【図１０】図９の主要部材の一部品を同じ状態で前方から見た図である。
【図１１】図７の容器の使用状態を示す説明図である。
【発明を実施するための最良の形態】
【００２１】
図１から図６は、本発明の第１実施形態に係るチューブ式揮散容器を示している。この容器は、チューブ容器体２と、シール蓋１０と、含浸体６０とで形成される。
【００２２】
チューブ容器体２は、下端部を左右方向に延びる扁平な閉塞端部４ａとする胴部４から肩部６を介して口頸部８を起立している。
なお、本明細書において、“右”及び“左”とは図１の左方及び右方をそれぞれ指すものとする。また“前”及び“後”とは同図の手前側及び奥側を指すものとする。
前記肩部６の内周部には環状段部６ａが形成されている。
前記口頸部８の外面にはねじ部８ａが形成されている。口頸部８の内面上部には、大内径部８ｂが形成されている。大内径部８ｂの下側では、口頸部８の内面から嵌合凸部９が内方突設されている。嵌合凸部９は、環状に形成することが好適であるが、周方向に間欠的に設けても構わない。
チューブ容器体は、複数のシートによる積層構造が容易でバリア性能に優れ、押出し成形等により製造することができる。シートの素材として例えば、ポリエチレンやポリプロピレン等の合成樹脂やアルミニウム等の金属材料を採用することができる。これらの構造は適宜変更することができる。
チューブ容器体２のサイズは、例えば家庭用であって手で持ち運ぶことを想定しているのか、或いは、外出時にカバン類に入れて持ち運ぶことを想定しているのかなどに応じて、適宜変更することができるものとし、図示のものより小さくすることができる。
チューブ容器体２の内部には、芳香剤などの揮発性の内容物を収納するとよい。収納物は、液状でもよいが、ビーズ状或いはゲル状のものを採用することが望ましい。
【００２３】
シール蓋１０は、蓋本体１２と、脚部材３０とで形成されている。これら各部材は例えば合成樹脂材で形成することが好適である。蓋本体１２と脚部材３０とは、好適な図示例において別体として形成されているが、この構造は適宜変更することができる。
【００２４】
前記蓋本体１２は、前記口頸部８へ嵌合（図示例では螺合）された嵌合周壁２０を蓋板１４の裏面に連結させている。前記嵌合周壁２０は、口頸部８の外面のほぼ全体を覆い、環状段部６ａの近くまで垂下されている。
前記蓋板１４の上面１５は、図示例では、揮散容器を倒立させた状態で図５に示す外部の載置面Ｇに当接可能な接地面として水平な平坦に形成されている。
また図示例の蓋本体１２は、前記蓋板１４を嵌合周壁２０の外側へ延出させて、蓋板１４の外周から外周壁２２を垂設するとともに、嵌合周壁２０の内側の蓋板１４裏面から垂下筒１６を垂設している。
前記外周壁２２は、シール蓋１０を口頸部８に対して螺着・螺脱操作をする際に手で持つ把持用筒であり、図示例において肩部６の外周付近まで垂下されている。
前記垂下筒１６は、図示例において２重筒に形成されており、内筒である連結筒１７が外筒であるシール筒１８よりも長く形成されている。
前記シール筒１８は、口頸部８に気密に内嵌させるインナーリングとしての役割を有し、図示例では、前記口頸部８の大内径部８ｂに密着されている。
シール筒１８と嵌合周壁２０との間では、図１に示す如く、前記蓋板１４の下面に環状の当接リブ１４ａが付設されており、この当接リブ１４ａが閉蓋状態において前記口頸部８の上端面全周に圧接され、シール性がさらに高まるように形成している。
【００２５】
前記脚部材３０は、本実施形態では、脚筒３２と、差込筒部５０とで形成されている。これら脚筒３２及び差込筒部５０は好適な図示例では一体に成形されているが、この構造は適宜変更することができる。
【００２６】
前記脚筒３２は、好適な図示例では、筒壁の上端部の内面から当接リブ３５を内方へ突設させ、その筒壁の上端部を連結筒１７の外面に嵌着させ、この連結筒１７に前記当接リブ３５が喰い込むようにしている。そして前記蓋本体１２を口頸部８から螺脱させたときに、前記連結筒１７への当接リブ３５の喰い込みにより、蓋本体１２とともに引き上げることが可能に形成されている。もっともこれらの構造は適宜変更することができる。
本実施形態では、比較的突設長さの大きい複数の当接リブ３５を、脚筒３２の上端部の周方向の適所（図示例では脚筒上端部の左右両側）に設けているが、当接リブ３５の形状は適宜変更することができる。
脚筒３２の下部には、脚筒３２全体が口頸部８から引き抜かれることを防止するために、前記肩部６の下面に係止可能なストッパ４０が付設されている。
シール筒１８及び連結筒１７による挟持箇所と、ストッパ４０の付設箇所との間では、前記脚筒３２に揮散孔３６が開口されており、ストッパ４０が肩部６の下面に係止されたときに前記揮散孔３６が外部に露出されるように構成されている。
なお、図示の構成に加えて、連結筒１７の外面に前記当接リブ３５と嵌り合う凹部を設けてもよく、また図示の構成に代えて、連結筒１７の外面に当接リブ３５を設けるとともに脚筒３２の内面に当接リブと嵌り合う凹部を設けても構わない。
【００２７】
前記揮散孔３６は、十分な揮散量が得られるような開口面積を得られるように形成する。複数の揮散孔３６を設けることができ、好適な図示例では、図４（Ａ）に示す如く、脚筒３２の左右両側にそれぞれ、横向きのスリット状の複数の揮散孔３６を縦方向に配列している。
揮散孔３６の形状をスリット状とする理由は、脚筒３２の強度を担保しつつ開口面積を大きくとるのに有利であるため、また内容物をビーズ状とした場合に揮散孔３６から内容物がこぼれ出すことを防止するためである。
なお、前記揮散孔３６は、図示例と異なり、縦方向のスリットに形成することもできる。
【００２８】
前記ストッパ４０は、脚筒３２の引き抜き防止手段であると同時に、揮散孔３６が予め設定された面積だけ外部に露出した状態で脚筒３２の引き出し操作を停止する位置決め手段の役割を有する。図示例の場合には、前記ストッパ４０が肩部６の裏面に係止した状態において、前記揮散孔３６が外部へ全て露出されるように設計されている。
しかしながら、そうした位置決め手段は、一つだけである必要はない。外部への揮散孔３６の開口面積を段階的に調整できるように複数の位置決め手段を設けておき、利用者の都合により揮散量を制御できるようにすることができる。
図示はしないが、ストッパ４０及び肩部６下面が係合する構成に代えて、或いは当該構成とともに、シール蓋１０の中間的な引き出し位置に対応する係合構造を設けてもよい。例えば口頸部８の内面の適所と脚筒３２の上下方向の中間位置と相互に嵌合する凹凸部を形成し、両者が嵌り合うことで所定の位置にシール蓋１０を固定することが容易にでき、当該位置からシール蓋を上方へ引っ張ることでそれら凹凸部が分離されるように設ければよい。
【００２９】
脚筒３２は、シール蓋１０の引上げ操作に際して、蓋板１４側から離れた筒長方向の一部である被嵌合部３３において、前記嵌合凸部９を嵌着させ、これにより、上記引上げ状態を支えるように設けられている。
前記脚筒３２の上端部内面には当接リブ３５が付設されている。
好適な図示例では、脚筒３２を、図４（Ａ）に示すように、直筒状の基部３２ａから拡径部３２ｂを介して基部３２ａより僅かに大径である先部３２ｃを下方へ延出している。そして先部３２ｃの上端部を前述の被嵌合部３３としている。前記揮散孔３６は、前記基部３２ａの下半部に形成されている。
基部３２ａの外径と先部３２ｃの外径とに差（図４（Ａ）に示すα）を付けることにより、嵌合凸部９と基部３２ａとの間に遊びａを確保するとともに、シール蓋１０を引上げて先部３２ｃと嵌合凸部９とが向かい合う位置になったときに両者が嵌合するように構成されている。この構成によれば、基部３２ａと嵌合凸部９との間に摩擦抵抗が働かないから、引上げ操作を円滑に行うことができる。
図示例では、前記拡径部３２ｂのすぐ上側に横リブ３４を付設しており、シール蓋１０の引上げの際に嵌合凸部９が前記横リブ３４を乗り越えるように形成している。
前記先部３２ｃの下端部の内面には、後述の含浸体６０の抜け止め用の抜止め手段Ｎとして、抜止め用凸部４４が付設されている。図示例では、図３（Ｂ）及び図４（Ｂ）に示すように、先部３２ｃの前壁部及び後壁部の各内面に抜止め用凸部４４を付設しているが、その構成は適宜変更することができる。
また図示例の先部では、図４（Ａ）に示す如く、先部３２ｃの上端部を嵌合凸部との嵌合箇所（前述の被嵌合部３３）として残して、周方向に間欠的に複数の切欠き３８を設けている。これにより、含浸体６０がチューブ容器体２内の収納物と接する面積が広くなる。図示の切欠き３８は、縦長の略矩形に形成されている。
【００３０】
前記差込筒部５０は、前記脚筒３２の内面上部に一体に連結されており、図示例では、図３（Ａ）に示す如く、脚筒３２内面から内向きフランジ５２を介して縦筒部５４を起立するとともに、この縦筒部５４の上面に頂壁部５６を延設してなる。前記縦筒部５４は連結筒１７の内面に、また前記頂壁部５６は蓋板１４の下面にそれぞれ当接している。
差込筒部５０には、前記脚筒３２の当接リブ３５の下側に位置させて、型抜き孔である透孔５８を設けており、これにより脚部材３０の当接リブ３５を大きく成形することが容易となる。図示の透孔５８は前記内向きフランジ５２に開口された第１孔部５８ａ及び縦筒部５４に開口された第２孔部５８ｂを含む。
なお、型抜き孔を省略することも可能であるが、金型から成形品を無理に引き抜くことができる程度に当接リブ３５の突設長さを小さくしなければならず、連結筒１７への食い込み効果が弱まるのに対して、本実施形態の構成では十分な喰い込み効果が得られ、連結筒への脚筒３２の掛かり合いを強くすることができる。
【００３１】
含浸体６０は、前記脚筒３２内に挿入され、前記抜止め用凸部４４で下面を保持されている。含浸体６０は、例えば不織布で形成することができる。内容物をビーズ状又はゲル状のものとしたときには、含浸体６０を省略することができる。
【００３２】
前記構成において、揮発容器を使用するときには、図１の状態から外周壁２２を把持し、嵌合周壁２０を口頸部８から螺脱させるとともに、シール蓋１０を引上げる。そうすると、ストッパ４０が肩部６下面に係止した状態で揮散孔３６が口頸部８の外に引き出させるとともに、嵌合凸部９が脚筒３２の被嵌合部３３に嵌合して、前記引き出し状態を支える。本実施形態では、これら嵌合凸部９と被嵌合部３３とでチューブ容器体２の支持手段Ｓが構成されている。
次に図５の如く、蓋板１４の上面１５が下になるように揮発容器を倒立させ、当該上面を外部の載置面Ｇとの当接面として配置する。この内容物が含浸体６０に含浸され、揮散孔３６から外部に放出される。
【００３３】
以下、本発明の他の実施形態を説明する。これらの説明において第１実施形態と同じ構成に関しては解説を省略する。
【００３４】
図７から図１１は、本発明の第２実施形態に係るチューブ式揮散容器を示している。本実施形態では、含浸体６０の抜止め手段Ｎの構成として、第１実施形態の抜止め用凸部４４に代えて、脚筒３２の下端に、脚筒３２の下端面の一部のみを閉塞する部分蓋４６を、当該下端面から離脱する（以下「開蓋する」という）ことが可能に設けている。
脚筒３２の下端面のうち前記部分蓋４６に覆われていない部分は、内容物の流入口Ｐを形成する。
本実施形態の部分蓋４６は、脚筒３２の下端部の周方向の一箇所で肉薄ヒンジ４６ａを介して脚筒３２の筒壁に連結されて、開蓋状態と閉蓋状態との間を回転可能に形成されている。また図示例では、脚筒３２の下端部のうち肉薄ヒンジ４６ａと反対側から係止爪４２を下方へ突出している。部分蓋４６の先端が係止爪４２に係止され、閉蓋状態を維持できるようにしている。図示例の部分蓋４６は、図９（Ｂ）に示す如く、肉薄ヒンジ４６ａと係止爪４２との間に掛け渡された帯板状に形成されており、その両側に流入口Ｐが形成されている。
【００３５】
上記の各実施形態において、内容物をチューブ容器体２内に充填するときには、口頸部８から内容物を充填させ、口頸部８にシール蓋１０を装着してもよいが、チューブ容器体２の下端を閉塞させる前に、チューブ容器体２の口頸部８にシール蓋１０を装着し、次に揮発容器を上下反転させ、上側に位置するチューブ容器体２の下端から内容物を充填し、当該下端部を閉塞させてもよい。
【符号の説明】
【００３６】
２…チューブ容器体  ４…胴部  ４ａ…閉塞端部  ６…肩部  ６ａ…環状段部
８…口頸部  ８ａ…ねじ部  ８ｂ…大内径部  ９…嵌合凸部
１０…シール蓋
１２…蓋本体  １４…蓋板  １４ａ…当接リブ  １５…上面（接地面）
１６…垂下筒  １７…内筒（連結筒）  １８…外筒（シール筒）  ２０…嵌合周壁
２２…外周壁
３０…脚部材  ３２…脚筒  ３２ａ…基部  ３２ｂ…拡径部
３２ｃ…先部  ３３…被嵌合部
３４…横リブ  ３５…当接リブ  ３６…揮散孔
３８…切欠き  ４０…位置決め手段（ストッパ）  ４２…係止爪
４４…抜止め用凸部  ４６…部分蓋
４６ａ…ヒンジ  ４８…流入口
５０…差込筒部  ５２…内向きフランジ  ５４…縦筒部  ５６…頂壁部
５８…透孔  ５８ａ…第１孔部  ５８ｂ…第２孔部  ６０…含浸体
ａ…遊び  Ｇ…載置面  Ｎ…抜止め手段  Ｐ…流入口  Ｓ…支持手段
【図１】
2018203318.tif 000003
【図２】
2018203318.tif 000004
【図３】
2018203318.tif 000005
【図４】
2018203318.tif 000006
【図５】
2018203318.tif 000007
【図６】
2018203318.tif 000008
【図７】
2018203318.tif 000009
【図８】
2018203318.tif 000010
【図９】
2018203318.tif 000011
【図１０】
2018203318.tif 000012
【図１１】
2018203318.tif 000013